【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
望遠鏡を取り囲む支持壁と、この支持壁に支持され、前記望遠鏡の観測する視野角度範囲において一又は複数の透明な平面部材により構成したドーム部とを備えた望遠鏡の観測用筐体。
【請求項２】
前記ドーム部は、複数の透明な平面部材を組み合せた多面体である請求項１に記載の望遠鏡の観測用筐体。
【請求項３】
望遠鏡を取り囲み、断面形状を多角形とした支持壁と、前記多角形の各頂点から延長して前記望遠鏡の上部において接合したフレームと、隣り合うフレーム間に透明な平面部材を設けて多面体を構成したドーム部とを備えた望遠鏡の観測用筐体。
【請求項４】
前記ドーム部は、三角錐体又は四角錐体である請求項２又は請求項３に記載の望遠鏡の観測用筐体。
【請求項５】
前記多面体の前記望遠鏡の上方部における頂点部分に外側に延びる棒状の突起を設けた請求項２乃至請求項４のいずれかに記載の望遠鏡の観測用筐体。
【請求項６】
望遠鏡を取り囲む支持壁と、この支持壁に支持され、前記望遠鏡の観測する視野角度範囲において一又は複数の透明な平面部材により構成したドーム部と、前記支持壁の内側に設けた除湿手段とを備えた望遠鏡の観測用筐体。
【請求項７】
望遠鏡を取り囲む支持壁と、この支持壁に支持され、前記望遠鏡の観測する視野角度範囲において一又は複数の透明な平面部材により構成したドーム部と、前記支持壁の内側に設け、前記支持壁及び前記ドーム部の内側における空気を冷却する熱交換器とを備えた望遠鏡の観測用筐体。
【請求項８】
望遠鏡を取り囲む支持壁と、この支持壁に支持され、前記望遠鏡の観測する視野角度範囲において一又は複数の透明な平面部材により構成したドーム部と、前記支持壁の内側に設け、前記支持壁及び前記ドーム部の内側における空気を冷却する熱交換器と、前記支持壁の内側に設けた除湿手段とを備えた望遠鏡の観測用筐体。
【請求項９】
望遠鏡を取り囲む支持壁と、この支持壁に支持され、前記望遠鏡の観測する視野角度範囲において一又は複数の透明な平面部材により構成したドーム部と、前記支持壁の内側に設けた加熱手段とを備えた望遠鏡の観測用筐体。
【請求項１０】
前記加熱手段は、発熱体である請求項９に記載の望遠鏡の観測用筐体。
【請求項１１】
前記加熱手段は、赤外線発生器であって、その赤外線発生器が発生した赤外線を反射させて前記ドーム部の内面に照射する赤外線反射板を有する請求項９に記載の望遠鏡の観測用筐体。
【請求項１２】
前記加熱手段は、前記支持壁の内面側に設置された電波発生器であって、その電波発生器が発生した水分子を共振過熱する周波数の電波を反射させて前記ドーム部の内面に照射する電波反射板を有する請求項９に記載の望遠鏡の観測用筐体。
【請求項１３】
望遠鏡を取り囲む支持壁と、この支持壁に支持され、前記望遠鏡の観測する視野角度範囲において一又は複数の透明な平面部材により構成し、前記望遠鏡を包囲するドーム部と、前記支持壁に支持され、前記平面部材を支持するフレームと、このフレームの外側に設けられ、複数の流出孔を有するダクトと、このダクトの下部に設けられた送風体と、前記ダクト内の前記送風体の上部に設けられた加熱手段とを備えた望遠鏡の観測用筐体。
【請求項１４】
前記平面部材は、ガラス又はアクリルである請求項１乃至請求項１３のいずれかに記載の望遠鏡の観測用筐体
【手続補正２】
【補正対象書類名】明細書
【補正対象項目名】０００９
【補正方法】変更
【補正の内容】
【０００９】
【課題を解決するための手段】
請求項１の発明に係る望遠鏡の観測用筐体は、望遠鏡を取り囲む支持壁と、この支持壁に支持され、前記望遠鏡の観測する視野角度範囲において一又は複数の透明な平面部材により構成したドーム部とを備えたものである。


【手続補正３】
【補正対象書類名】明細書
【補正対象項目名】００１０
【補正方法】変更
【補正の内容】
【００１０】
請求項２の発明に係る望遠鏡の観測用筐体は、前記ドーム部が複数の透明な平面部材を組み合せた多面体であるものである。


【手続補正４】
【補正対象書類名】明細書
【補正対象項目名】００１１
【補正方法】変更
【補正の内容】
【００１１】
請求項３の発明に係る望遠鏡の観測用筐体は、望遠鏡を取り囲み、断面形状を多角形とした支持壁と、前記多角形の各頂点から延長して前記望遠鏡の上部において接合したフレームと、隣り合うフレーム間に透明な平面部材を設けて多面体を構成したドーム部とを備えたものである。


【手続補正５】
【補正対象書類名】明細書
【補正対象項目名】００１２
【補正方法】変更
【補正の内容】
【００１２】
請求項４の発明に係る望遠鏡の観測用筐体は、前記ドーム部が三角錐体又は四角錐体であるものである。


【手続補正６】
【補正対象書類名】明細書
【補正対象項目名】００１３
【補正方法】変更
【補正の内容】
【００１３】
請求項５の発明に係る望遠鏡の観測用筐体は、前記多面体の前記望遠鏡の上方部における頂点部分に外側に延びる棒状の突起を設けたものである。


【手続補正７】
【補正対象書類名】明細書
【補正対象項目名】００１４
【補正方法】変更
【補正の内容】
【００１４】
請求項６の発明に係る望遠鏡の観測用筐体は、望遠鏡を取り囲む支持壁と、この支持壁に支持され、前記望遠鏡の観測する視野角度範囲において一又は複数の透明な平面部材により構成したドーム部と、前記支持壁の内側に設けた除湿手段とを備えたものである。


【手続補正８】
【補正対象書類名】明細書
【補正対象項目名】００１５
【補正方法】変更
【補正の内容】
【００１５】
請求項７の発明に係る望遠鏡の観測用筐体は、望遠鏡を取り囲む支持壁と、この支持壁に支持され、前記望遠鏡の観測する視野角度範囲において一又は複数の透明な平面部材により構成したドーム部と、前記支持壁の内側に設け、前記支持壁及び前記ドーム部の内側における空気を冷却する熱交換器とを備えたものである。


【手続補正９】
【補正対象書類名】明細書
【補正対象項目名】００１６
【補正方法】変更
【補正の内容】
【００１６】
請求項８の発明に係る望遠鏡の観測用筐体は、望遠鏡を取り囲む支持壁と、この支持壁に支持され、前記望遠鏡の観測する視野角度範囲において一又は複数の透明な平面部材により構成したドーム部と、前記支持壁の内側に設け、前記支持壁及び前記ドーム部の内側における空気を冷却する熱交換器と、前記支持壁の内側に設けた除湿手段とを備えたものである。


【手続補正１０】
【補正対象書類名】明細書
【補正対象項目名】００１７
【補正方法】変更
【補正の内容】
【００１７】
請求項９の発明に係る望遠鏡の観測用筐体は、望遠鏡を取り囲む支持壁と、この支持壁に支持され、前記望遠鏡の観測する視野角度範囲において一又は複数の透明な平面部材により構成したドーム部と、前記支持壁の内側に設けた加熱手段とを備えたものである。


【手続補正１１】
【補正対象書類名】明細書
【補正対象項目名】００１８
【補正方法】変更
【補正の内容】
【００１８】
請求項１０の発明に係る望遠鏡の観測用筐体は、前記加熱手段が発熱体であるものである。


【手続補正１２】
【補正対象書類名】明細書
【補正対象項目名】００１９
【補正方法】変更
【補正の内容】
【００１９】
請求項１１の発明に係る望遠鏡の観測用筐体は、前記加熱手段は、赤外線発生器であって、その赤外線発生器が発生した赤外線を反射させて前記ドーム部の内面に照射する赤外線反射板を有するものである。


【手続補正１３】
【補正対象書類名】明細書
【補正対象項目名】００２０
【補正方法】変更
【補正の内容】
【００２０】
請求項１２の発明に係る望遠鏡の観測用筐体は、前記加熱手段が、前記支持壁の内面側に設置された電波発生器であって、その電波発生器が発生した水分子を共振過熱する周波数の電波を反射させて前記ドーム部の内面に照射する電波反射板を有するものである。


【手続補正１４】
【補正対象書類名】明細書
【補正対象項目名】００２１
【補正方法】変更
【補正の内容】
【００２１】
請求項１３の発明に係る望遠鏡の観測用筐体は、望遠鏡を取り囲む支持壁と、この支持壁に支持され、前記望遠鏡の観測する視野角度範囲において一又は複数の透明な平面部材により構成し、前記望遠鏡を包囲するドーム部と、前記支持壁に支持され、前記平面部材を支持するフレームと、このフレームの外側に設けられ、複数の流出孔を有するダクトと、このダクトの下部に設けられた送風体と、前記ダクト内の前記送風体の上部に設けられた加熱手段とを備えたものである。


【手続補正１５】
【補正対象書類名】明細書
【補正対象項目名】００２２
【補正方法】変更
【補正の内容】
【００２２】
請求項１４の発明に係る望遠鏡の観測用筐体は、前記平面部材がガラス又はアクリルであるものである。


【手続補正１６】
【補正対象書類名】明細書
【補正対象項目名】００５７
【補正方法】変更
【補正の内容】
【００５７】
【発明の効果】
以上のように、この発明によれば、望遠鏡を取り囲む支持壁と、この支持壁に支持され、前記望遠鏡の観測する視野角度範囲において一又は複数の透明な平面部材により構成したドーム部とを設けたので、ドームや屋根の開閉部を開閉する開閉装置等を設ける必要がなく、簡素な構成によって望遠鏡の観測運用を実現することができる一方、半球状のドーム部のようにドーム部自体が光学的な屈折レンズとして働き、望遠鏡の像をぼかす等のおそれがなく、さまざまな口径および焦点距離の望遠鏡にも対応することできる。
【手続補正１７】
【補正対象書類名】明細書
【補正対象項目名】００５８
【補正方法】変更
【補正の内容】
【００５８】
また、他の発明によれば、ドームや屋根の開閉部を開閉する開閉装置等を設ける必要がなく、簡素な構成によって望遠鏡の観測運用を実現することができ、さまざまな口径および焦点距離の望遠鏡にも対応することできる一方、ドーム部内面への結露の発生を防ぐことができる。


【手続補正１８】
【補正対象書類名】明細書
【補正対象項目名】００５９
【補正方法】変更
【補正の内容】
【００５９】
また、他の発明によれば、ドームや屋根の開閉部を開閉する開閉装置等を設ける必要がなく、簡素な構成によって望遠鏡の観測運用を実現することができ、さまざまな口径および焦点距離の望遠鏡にも対応することできる一方、前記支持壁及び前記ドーム部の内側の温度上昇を防ぐことができる。


【手続補正１９】
【補正対象書類名】明細書
【補正対象項目名】００６０
【補正方法】変更
【補正の内容】
【００６０】
また、他の発明によれば、ドームや屋根の開閉部を開閉する開閉装置等を設ける必要がなく、簡素な構成によって望遠鏡の観測運用を実現することができ、さまざまな口径および焦点距離の望遠鏡にも対応することできる一方、前記ドーム部の外面に付着した氷、雪等を溶かし、氷や雪がドーム部の外面に付着するのを防止することができる。


【手続補正２０】
【補正対象書類名】明細書
【補正対象項目名】００６１
【補正方法】削除
【補正の内容】
【手続補正２１】
【補正対象書類名】明細書
【補正対象項目名】００６２
【補正方法】削除
【補正の内容】
【手続補正２２】
【補正対象書類名】明細書
【補正対象項目名】００６３
【補正方法】削除
【補正の内容】
【手続補正２３】
【補正対象書類名】明細書
【補正対象項目名】００６４
【補正方法】削除
【補正の内容】
【手続補正２４】
【補正対象書類名】明細書
【補正対象項目名】００６５
【補正方法】削除
【補正の内容】
【手続補正２５】
【補正対象書類名】明細書
【補正対象項目名】００６６
【補正方法】削除
【補正の内容】
【手続補正２６】
【補正対象書類名】明細書
【補正対象項目名】００６７
【補正方法】削除
【補正の内容】
【手続補正２７】
【補正対象書類名】明細書
【補正対象項目名】００６８
【補正方法】削除
【補正の内容】
【手続補正２８】
【補正対象書類名】明細書
【補正対象項目名】００６９
【補正方法】削除
【補正の内容】
【手続補正２９】
【補正対象書類名】明細書
【補正対象項目名】００７０
【補正方法】削除
【補正の内容】